(57)【要約】【課題】セルラー無線網への接続不可能な無線端末が、セルラー無線網のみで提供されるセル内ブロードキャスト機能に基づく情報配信サービスを受けられるようにすること。【解決手段】無線端末に配信する方法は、第１の無線通信網からの無線信号を第２の無線通信網へと中継することが可能な中継局を経由して、第２の無線通信網内のアクセス・ポイントが、前記第１の無線通信網から同報メッセージを受信するステップと、前記同報メッセージ内に前記関連情報の提供元リンクが含まれている場合に、前記関連情報を取得すべき旨の要求を、前記アクセス・ポイントが前記中継局から受信するステップと、前記アクセス・ポイントが、前記提供元リンクを介して前記関連情報をダウンロードして自局内にキャッシュするステップと、前記関連情報を、前記アクセス・ポイントが、前記第２の無線通信網内の一つ以上の無線端末に同報配信するステップとを具備する。【選択図】図３
2018102015.tif 000002
【特許請求の範囲】
【請求項１】
無線通信網内において一つ以上の無線端末に配信される同報メッセージに付帯した関連情報を、前記一つ以上の無線端末に配信する方法であって：
第１の無線通信網からの無線信号を第２の無線通信網へと中継することが可能な中継局を経由して、第２の無線通信網内のアクセス・ポイントが、前記第１の無線通信網から同報配信された前記同報メッセージを受信するステップ；
前記同報メッセージ内に前記関連情報の提供元リンクが含まれている場合に、前記関連情報を取得すべき旨の要求を、前記アクセス・ポイントが前記中継局から受信するステップ；
前記要求の前記受信に応じて、前記アクセス・ポイントが、前記提供元リンクを介して前記関連情報の提供元サーバから前記関連情報をダウンロードして自局内にキャッシュするステップ；および、
前記ダウンロードした前記関連情報を、前記アクセス・ポイントが、前記第２の無線通信網内の一つ以上の無線端末に同報配信するステップ；
を具備し、前記第２の無線通信網は、前記第１の無線通信網よりも前記関連情報の高速なダウンロードが可能であることを特徴とする、方法。
【請求項２】
前記中継局は、前記第１の無線通信網と前記第２の無線通信網のそれぞれに対して接続可能な２つの接続手段を併有し、前記第１の無線通信網と前記第２の無線通信網の両者に無線接続中であるマルチモード無線機器であることを特徴とする、
請求項１記載の方法。
【請求項３】
前記関連情報は、前記同報メッセージにより通知されるメッセージ内容に関連した大容量コンテンツ情報を具備し、前記提供元サーバは前記大容量コンテンツ情報を提供可能なコンテンツ・サーバであり、前記提供元リンクは、前記コンテンツ・サーバ内に格納された前記大容量コンテンツ情報の所在を表すＵＲＬまたはＵＲＩを含む、
請求項１記載の方法。
【請求項４】
第１の無線通信網に対して接続可能な第１の無線接続部；
第２の無線通信網に対して接続可能な第２の無線接続部；
前記第１の無線接続部を介して、前記第１の無線通信網から同報配信された同報メッセージを受信した際に、前記同報メッセージ内に提供元リンクが含まれているならば、前記第２の無線接続部を介して接続可能な前記第２の無線通信網内のアクセス・ポイントに対して、前記提供元リンクを介して関連情報の提供元サーバから前記関連情報をダウンロードするように要求する制御動作を実行する制御部；
を具備し、前記アクセス・ポイントは、前記要求に従い、前記ダウンロードした前記関連情報を、自局内にキャッシュした上で、一つ以上の無線端末に配信することを特徴とする、マルチモード無線端末。
【請求項５】
前記関連情報は、前記同報メッセージにより通知されるメッセージ内容に関連した大容量コンテンツ情報を具備し、前記提供元サーバは前記大容量コンテンツ情報を提供可能なコンテンツ・サーバであり、前記提供元リンクは、前記コンテンツ・サーバ内に格納された前記大容量コンテンツ情報の所在を表すＵＲＬまたはＵＲＩを含む、
請求項４記載のマルチモード無線端末。
【発明の詳細な説明】
【技術分野】
【０００１】
本発明は、無線網内において配信されるブロードキャスト情報に対してユーザ機器から効率的にアクセスするための方法と装置とに関する。
【背景技術】
【０００２】
従来、基地局アンテナの通信エリア内にある携帯電話機に一斉に同報通信を行うセル内ブロード・キャスト（ＣＢＳ）では、情報配信サーバから発信される情報がショート・メッセージ・サービス・センター、バックホール網内のＲＮＣなどを経て基地局アンテナから送信される。セル内ブロードキャストを受けた携帯電話機は、受信したブロードキャスト情報を通信情報として処理し、例えば、セル内ブロードキャスト・メッセージ中において送信された情報を文字情報として表示画面に表示していた。３ＧＰＰ（3rd Generation Partnership Project）標準と互換性のあるセルラー無線網においては、共有されたブロードキャスト・チャネル上で一つ以上のセルから成る特定のセットに在圏している加入者端末の全てに対して、メッセージ・ベースの情報サービスとして低ビットレートのメッセージ送信を可能にするＣＢＳ（Cell Broadcast Service）を規定している。
【０００３】
近年、ＣＢＳ（Cell Broadcast Service）等による同報配信を利用して、移動通信網を利用して緊急地震情報や広告の配信を複数の移動通信端末に行う技術が発達してきている。例えば、地震監視サーバから緊急地震情報が送信されたとき、この緊急地震情報を地震情報配信サーバにおいてフォーマット変換して、移動通信端末へ同報配信する技術などが知られている。３ＧＰＰ標準と互換性のあるセルラー無線網においては、上述したセル内ブロードキャスト機能を利用した情報メッセージ配信サービスの一形態として、セル内の複数のユーザ端末に対して災害発生情報のような緊急性の高い情報を迅速に同時配信するサービスが近年知られている。３ＧＰＰでは、地震津波警報を移動体通信網から携帯端末に配信する方式が規定されている。そして、それを実現する様々な技術が提案されている。３ＧＰＰの規定では、地震津波警報サービスの情報発信者が地震津波警報の第１報であるＥＴＷＳ（Ｅａｒｔｈｑｕａｋｅ ａｎｄ Ｔｓｕｎａｍｉ Ｗａｒｎｉｎｇ Ｓｙｓｔｅｍ）プライマリ・メッセージを発信してから報知期間の４秒以内に携帯端末に表示することが要求される。また、携帯端末は、ＥＴＷＳプライマリ・メッセージを受信した後、即時に、それを表示することが要求される。
【０００４】
セルラー無線網が実装するＣＢＳ機能において、上述したＥＴＷＳプライマリ・メッセージは、セル内ブロードキャスト情報メッセージを伝送する目的に使用されるプロトコル・データ・ユニットであるＣＢＳ  ＰＤＵによって伝送される。３ＧＰＰ標準と互換性のある従来のセルラー無線網は、情報配信サーバから発信されたブロードキャスト情報メッセージを複数のセルや複数の無線ＬＡＮエリアを含む特定の配信先領域に対して一律に同時配信するために、これら複数のセルや無線ＬＡＮエリアをＲＮＣが収容する構成となっている。従って、情報配信サーバから発信されたブロードキャスト情報メッセージは、ＲＮＣを介してルーティングされることとなる。
【０００５】
ＣＢＳ機能などを使用したセル内ブロードキャストによって災害情報のような緊急性の高い情報を配信する場合、配信先の端末の個数が多く、無線ネットワーク内の輻輳の原因となる可能性がある。そこで、特許文献１は、RNCの設備数を増加させることなく、無線アクセス網内での配信情報のトラヒックバーストを緩和するための技術を開示している。特許文献１記載の発明においては、情報配信サーバは、CBS機能を用いた情報配信の発生元として予め登録されているユーザ端末からの情報配信要求を基地局およびRNC経由で受信すると、受信内容に含まれている、ユーザ端末が位置するセル識別子と情報内容から、配信セル領域の特定とその優先度をデータベースに問い合わせる。特許文献１記載の発明においてはさらに、情報配信サーバは、当該データベースから得られた配信先セル領域の特定とその優先度情報に従って、その優先度順にタイムラグをもたせた情報配信要求をRNCに送信する。RNCは、この情報配信要求に従い、CBS機能にて、各セルの基地局に対して前記タイムラグをもたせた情報配信を実施する。
【０００６】
また、ＣＢＳ機能などを使用したセル内ブロードキャストによって災害情報のような緊急性の高い情報を配信する場合、各ユーザ端末による配信情報の受信には、受信エラーの無い高い確実性が求められる。そこで、特許文献２は、移動体通信網から携帯端末への緊急災害情報の報知における受信成功率を向上させる仕組みを提供するための技術を開示する。特許文献２記載の発明においては、無線通信システムは基地局および携帯端末を有している。特許文献２記載の発明においては、基地局は、携帯端末に配信すべき緊急災害メッセージのデータを複数に分割し、分割されたデータに対するパリティを算出し、データとパリティを携帯端末に配信する。携帯端末は、データとパリティを基地局から受信し、データとパリティから緊急災害メッセージを復元してユーザに提示する。
【０００７】
上述したセル内ブロードキャストに基づくメッセージ配信サービスと同様のサービスとして、無線ＬＡＮアクセス・ポイントの通信エリア内に在圏する全ての無線ＬＡＮ端末に対して企業の広告や顧客向けクーポン情報などを配信するサービスも普及してきている。セルラー無線網や無線ＬＡＮ網において、このようなブロードキャスト型のメッセージ配信サービスを無線端末から利用するために、無線端末から接続する無線アクセス網を、セルラー無線網と無線ＬＡＮとの間でユーザ自身により状況に応じて切り替えることが一般的である。無線端末のこのような利用態様を可能とするには、セルラー無線網と無線ＬＡＮにそれぞれ対応した２つの無線インターフェース回路を装備したマルチモード無線端末を使用してユーザが無線網アクセスを行うことが前提となる。この場合、マルチモード無線端末は、同時利用可能なセルラー無線網と無線ＬＡＮのそれぞれに接続する複数の無線ベアラを確立し、当該複数の無線ベアラを状況に応じて切り換えて通信する。
【先行技術文献】
【特許文献】
【０００８】
【特許文献１】特開２００９−００５３１０号公報
【特許文献２】特開２０１２−０６０３７７号公報
【発明の概要】
【発明が解決しようとする課題】
【０００９】
しかしながら、マルチモード無線端末が滞在している位置によっては、当該位置における局所的なチャネル状態、電波干渉、または障害物などにより、セルラー基地局からのキャリア信号を検出できない場合が生じ得る。このようなことは、当該マルチモード端末が滞在している位置がいずれかのセルラー基地局から比較的近距離であっても起こる場合がある。また、マルチモード無線端末を高速移動中の車両内において使用中のとき、ハンドオーバーの頻発などにより一定信号品質での通信が困難となる結果、当該マルチモード無線端末からセルラー無線網への無線接続が事実上不可能となる状況も起こり得る。同時にこのような状況において、当該マルチモード無線端末が、当該車両内で提供されている無線ＬＡＮに良好な信号品質で接続できるような場合もあり得る。
【００１０】
従って、セルラー無線網と無線ＬＡＮにそれぞれ対応した２つの無線インターフェースを装備するマルチモード無線端末であっても、一時的にセルラー無線網への接続が不可能となる場合がある。この場合、ＣＢＳ機能のように、セルラー無線網のみで提供されているセル内ブロードキャスト機能に基づいて実行されるメッセージ配信サービス（ＥＴＷＳなど）をマルチモード無線端末から受けることは不可能である。
【００１１】
また、ラップトップ型コンピュータ、タブレット型端末およびハンドヘルド・デバイスなどのモバイル情報端末の中には、無線ＬＡＮインターフェース回路を装備する一方で、セルラー無線網用の無線インターフェース回路を装備していないものが現在でも相当数普及している。逆に、セルラー移動電話機の中には、セルラー無線網用の無線インターフェース回路のみを装備し、無線ＬＡＮインターフェース回路を有しない機種も未だに相当数普及している。この場合も、セルラー無線網のみで提供されているＣＢＳ機能を利用した情報配信サービスが受けられなかったり、無線ＬＡＮ内でのみ提供されているブロードキャスト配信サービスを受けられなかったりするという問題が生じる。
【００１２】
そして、特許文献１および特許文献２に開示された発明では、上述した問題を克服することは不可能である。
【００１３】
さらに、ＣＢＳ機能などのようなセル内ブロードキャスト機能に基づいて災害発生情報などを不特定多数の無線端末に配信するサービスにおいて、災害地図（ハザードマップ）等を無線端末の画面に表示するためのリッチ・コンテンツ情報は数百キロバイト以上の比較的サイズの大きな配信情報となると考えられる。しかしながら、３ＧＰＰ  ＧＥＲＡＮ（GSM（登録商標） EDGE Radio Access Network）において標準化されているＥＴＷＳなどの災害情報配信サービスでは、ＣＢＳ機能を利用してセル内の無線端末に災害発生情報をブロードキャスト配信するＥＴＷＳプライマリ・メッセージは、５６オクテットのサイズしか有しない。従って、上述したような大容量のリッチ・コンテンツ情報をＥＴＷＳプライマリ・メッセージに直接含めてセル内の無線端末にブロードキャスト配信することが出来ない。
【００１４】
このような場合、従来技術においては、メッセージ配信先の通信エリア内でブロードキャスト配信されるメッセージ中に上述したリッチ・コンテンツ情報を格納したＷｅｂサーバやコンテンツ提供サーバなどのＵＲＬやＵＲＩを記載しておくことが、一般的に行われている。しかしこの場合、当該メッセージの配信を受けた無線端末のユーザが当該メッセージに含まれるＵＲＬやＵＲＩに基づいてＷｅｂサーバやコンテンツ提供サーバにアクセスしようとすると、メッセージ配信先の通信エリア内に在圏する全てのユーザが当該Ｗｅｂサーバやコンテンツ提供サーバに対して一斉に同時アクセスすることとなる。その結果、セルラー無線網内に輻輳状態が発生したり、メッセージ配信先の通信エリア内に在圏する多数の無線端末からのアクセスが集中したコンテンツ提供元のサーバが過負荷状態となったりする。
【００１５】
特許文献１記載の発明は、上述したようなコンテンツ提供元のサーバへのアクセス集中や無線網内の輻輳常態の発生を防止するために、ブロードキャスト配信されるトラフィック種別毎に優先順位を割り当て、優先順位の低いブロードキャスト・トラフィックの送信タイミングを遅延させている。しかしながら、特許文献１記載の発明においては、災害発生情報配信などは、非常に緊急性の高いブロードキャスト配信であるため、遅延の無い迅速かつ確実な配信を保証する必要が有る。そのため、同一のセルラー無線網内で災害発生情報配信と同様に緊急性の高いブロードキャスト配信サービスを複数種類提供する必要がある場合、これら複数のブロードキャスト配信サービス同士の間で優先順位を巡る競合が発生するという問題を生じる。
【００１６】
以上の問題点に鑑み、本発明は、一時的にセルラー無線網への接続が不可能となったマルチモード無線端末やセルラー無線網への接続手段を持たない無線端末が、セルラー無線網のみで提供されているセル内ブロードキャスト機能（ＣＢＳ機能など）に基づく情報配信サービスを受けられるようにする仕組みを実現することを目的とする。同様に、本発明は、無線ＬＡＮインターフェース回路を有しないセルラー無線端末が、無線ＬＡＮ内でのみ提供されているブロードキャスト配信サービスを受けられるようにする仕組みを実現することを目的とする。また、本発明は、メッセージ情報の配信先通信エリア内に在圏している全てのユーザに対してブロードキャスト配信機能に基づいてリッチ・コンテンツ等の大容量情報へのアクセスを実行させる際、無線網やコンテンツ提供元サーバへの多数の無線端末からのアクセス集中や通信優先順位の競合が発生しないような仕組みを実現することを目的とする。
【課題を解決するための手段】
【００１７】
以上より、本発明の側面は、無線通信網内において一つ以上の無線端末に配信される同報メッセージに付帯した関連情報を、前記一つ以上の無線端末に配信する方法であって：前記第１の無線通信網からの無線信号を第２の無線通信網へと中継することが可能な中継局を経由して、第２の無線通信網内のアクセス・ポイントが、前記第１の無線通信網から同報配信された前記同報メッセージを受信するステップ；前記同報メッセージ内に前記関連情報の提供元リンクが含まれている場合に、前記関連情報を取得すべき旨の要求を前記中継局から前記アクセス・ポイントが受信するステップ；前記要求の前記受信に応じて、前記アクセス・ポイントが、前記提供元リンクを介して前記関連情報の提供元サーバから前記関連情報をダウンロードして自局内にキャッシュするステップ；および、前記ダウンロードした前記関連情報を、前記アクセス・ポイントが、前記第２の無線通信網内の一つ以上の無線端末に同報配信するステップ；を具備し、前記第２の無線通信網は、前記第１の無線通信網よりも前記関連情報の高速なダウンロードが可能であることを特徴とする。
【００１８】
さらに、本発明の側面においては、前記中継局は、前記第１の無線通信網と前記第２の無線通信網のそれぞれに対して接続可能な２つの接続手段を併有し、前記第１の無線通信網と前記第２の無線通信網の両者に無線接続中であるマルチモード無線機器であることを特徴とする。
【００１９】
さらに、本発明の側面においては、前記関連情報は、前記同報メッセージにより通知されるメッセージ内容に関連した大容量コンテンツ情報を具備し、前記提供元サーバは前記大容量コンテンツを提供可能なコンテンツ・サーバであり、前記提供元リンクは、前記コンテンツ・サーバ内に格納された前記大容量コンテンツの所在を表すＵＲＬまたはＵＲＩを含むことを特徴とする。
【発明の効果】
【００２０】
以上のように本発明は、一時的にセルラー無線網への接続が不可能となったマルチモード無線端末やセルラー無線網への接続手段を持たない無線端末が、セルラー無線網のみで提供されているセル内ブロードキャスト機能（ＣＢＳ機能など）に基づく情報配信サービスを受けられるようにすることができる。同様に、本発明は、無線ＬＡＮインターフェース回路を有しないセルラー無線端末が、無線ＬＡＮ内でのみ提供されているブロードキャスト配信サービスを受けられるようにすることができる。また、本発明は、メッセージ情報の配信先となる通信エリア内に在圏している全てのユーザに対してブロードキャスト配信機能に基づいてリッチ・コンテンツ等の大容量情報へのアクセスを実行させる際、無線網やコンテンツ提供元サーバへの多数の無線端末からのアクセス集中や通信優先順位の競合が発生しないようにすることができる。
【図面の簡単な説明】
【００２１】
【図１】セルラー無線網内において本実施の形態を実現する基盤となるブロードキャスト配信システムの構成図
【図２】本実施の形態において使用される無線端末の装置構成
【図３】本実施の形態に係る第１実施例の通信動作を説明する図
【図４】本実施の形態に係る第１実施例における信号処理動作の流れを示すイベント・フロー図
【図５】本実施の形態に係る第２実施例に関してインターネットと無線端末との間の網接続を示す図
【図６】本実施の形態に係る第２実施例の通信動作を説明する図
【図７】本実施の形態に係る第２実施例における信号処理動作の流れを示すイベント・フロー図
【発明を実施するための形態】
【００２２】
以下、図面を参照しながら、本実施の形態について説明する。本実施の形態においては、まず、第１の実施例と第２の実施例の概要について説明する。続いて、図１を参照しながら、セルラー無線網内において本実施の形態を実現する基盤となるブロードキャスト配信システムのネットワーク構成を説明する。続いて、図２を参照しながら、本実施の形態において使用されるマルチモード無線端末やその他の無線端末の装置構成について説明する。最後に、図３乃至図５を参照しながら、第１実施例と第２実施例の詳細を説明する。
【００２３】
＜１＞本実施の形態に係る第１実施例と第２実施例の概要
本実施の形態に係る第１実施例について以下のとおりに説明する。なお、上述のようにマルチモード無線端末であっても、一時的にセルラー無線網の接続が不可能となっている端末や、無線ＬＡＮインターフェース回路のみを装備し、セルラー無線網への接続手段を持たない無線端末のことを、以下の説明においては、無線ＬＡＮ専用端末と呼ぶことにする。逆に、セルラー無線網に接続する無線インターフェース回路のみを装備し、無線ＬＡＮへの接続手段を持たない無線端末のことを、以下の説明においては、セルラー専用端末と呼ぶことにする。
【００２４】
本実施の形態に係る第１実施例は、ＣＢＳ機能のようなセルラー無線網に固有のセル内ブロードキャスト機能に基づくメッセージ配信サービスを無線ＬＡＮ専用端末が受けられるようにする仕組みを例示する。このような仕組みを実現するために、第１実施例においては、セルラー無線網の基地局と無線ＬＡＮアクセス・ポイントに同時接続中のマルチモード無線端末を中継局として使用する。具体的には、上述した中継局として機能するマルチモード無線端末が、セルラー無線網内におけるセル内ブロードキャスト機能に基づいてセルラー基地局から配信されるメッセージを無線ＬＡＮアクセス・ポイントに中継する。続いて、当該無線ＬＡＮアクセス・ポイントは、当該中継されたメッセージを自局の通信エリア内に在圏している全ての無線端末にブロードキャストする。
【００２５】
また、第１実施例の変形例として、無線ＬＡＮサービス・プロバイダが提供するクーポン配信サービスのように無線ＬＡＮ内でのみ提供される通信エリア内ブロードキャスト機能に基づくメッセージ配信サービスをセルラー専用端末が受けられるようにする仕組みを実現ことも可能である。このような仕組みを実現する場合も上記と同様に、セルラー無線網の基地局と無線ＬＡＮアクセス・ポイントに同時接続中のマルチモード無線端末を中継局として使用して、メッセージ配信元の無線ＬＡＮアクセス・ポイントとセルラー基地局との間で通信エリア内ブロードキャスト配信メッセージを中継転送することが可能である。
【００２６】
本実施の形態に係る第２実施例は、無線ＬＡＮ専用端末やセルラー専用端末に対して、セルラー無線網や無線ＬＡＮに固有の通信エリア内ブロードキャスト機能に基づいてメッセージをブロードキャスト配信する際、当該メッセージに付帯する関連情報である大容量コンテンツ情報を、効率的に配信する仕組みを例示する。すなわち、第２実施例においては、第１実施例と同様の方法により無線ＬＡＮ通信エリア内の全端末に対してブロードキャスト配信されたメッセージに付帯する大容量コンテンツ情報を、当該全端末にブロードキャスト配信する際に、無線網側へのアクセス負荷や輻輳を防止する仕組みが開示される。
【００２７】
具体的には、まず、セルラー無線網の基地局と無線ＬＡＮアクセス・ポイントに同時接続中のマルチモード無線端末を中継局として使用して、メッセージ配信元のセルラー基地局と無線ＬＡＮアクセス・ポイントとの間でセル内ブロードキャスト配信メッセージを中継転送する。続いて、当該メッセージを中継された当該無線ＬＡＮアクセス・ポイントは、当該メッセージ中に上述した大容量コンテンツ情報の提供元へのリンクを示すＵＲＬやＵＲＩが含まれている場合、当該ＵＲＬやＵＲＩを介して当該大容量コンテンツを自局内のキャッシュ・メモリ内にダウンロードして一時保存する。最後に、当該無線ＬＡＮアクセス・ポイントは、当該一時保存した大容量コンテンツ情報を自局の通信エリア内に在圏している全無線端末にブロードキャスト配信する。
【００２８】
なお、第１実施例と第２実施例において使用されるセルラー基地局は、３ＧＰＰが標準化を進めるＥ−ＵＴＲＡＮ標準などにおけるｅＮｏｄｅＢやＢＴＳなどであっても良い。
【００２９】
＜２＞ブロードキャスト配信システムの網構成
以下、図１を参照しながら、セルラー無線網内においてＣＢＳ機能に基づくメッセージ情報のブロードキャスト配信を実現する配信システムの構成を示す。この配信システムはセルラー無線網内において本実施の形態に係る情報メッセージのブロードキャスト機能を実現するためのネットワーク基盤として使用される。
【００３０】
図１に示すブロードキャスト配信システムでは、警報システム機器が災害発生情報等の情報を、ＲＮＣ６に収容されている近辺セル領域へ、ＣＢＳ(Cell Broadcast Service)機能を用いて情報配信するサービスを想定しており、無線アクセス網からの配信特性を含む情報配信要求（Ｐ１）は、警報システム機器が発生元となっている。
【００３１】
情報配信サーバ７には、当該警報システム機器がＣＢＳ機能を用いた情報配信の発生元として予め登録されており、従って、情報配信サーバ７は、ＣＢＳ機能を用いた情報配信の発生元として予め登録されている当該警報システム機器からの情報配信要求（Ｐ１）を基地局２およびＲＮＣ６経由で受信すると、受信内容（Ｐ２）に含まれている、ユーザ（端末１）が位置するセル識別子と情報配信要求（Ｐ１）に含まれている配信特性を基にして、配信対象セル領域を特定する情報をデータベース８に問い合わせる（Ｐ３、Ｐ４）。
【００３２】
情報配信サーバ７は、データベース８から得られた配信対象セル領域の特定情報に従って、当該警報システム機器から提供された情報を、情報配信要求（Ｐ５−１、Ｐ６−１、Ｐ７−１）としてＲＮＣ６に送信する。ＲＮＣ６は、この情報配信要求に従い、ＣＢＳ機能にて、各セルの基地局２〜５に対して当該警報システム機器から提供された情報の配信を実施する（Ｐ５−２、Ｐ６―２、Ｐ７−２）。
【００３３】
上述したブロードキャスト配信システムにおいて、警報システム機器は、情報配信サーバ７の内部に組み込まれていても良く、図１には示されない無線網内の任意のネットワーク機器やサーバであっても良く、図１に示す端末１を警報システム機器として使用することも可能である。
【００３４】
＜３＞無線端末の装置構成
次に、図２を参照しながら、本実施の形態を実施するために使用されるマルチモード無線端末１０ｍおよび上述した無線ＬＡＮ専用端末やセルラー専用端末のような他の無線端末１０ｓの装置構成について説明する。
【００３５】
図２において、マルチモード無線端末１０ｍは、無線信号を送受信するアンテナ１０１、アンテナ１０１と接続された無線インターフェース１０２ａ、無線インターフェース１０２ｂ、メモリ１０３、制御プロセッサ１０４、制御プロセッサ１０４との間で入出力データをやり取りしながらユーザと無線端末１０との間のユーザ・インターフェースを制御するユーザ入出力装置１０５、および無線端末１０ｍの設定パラメータなどを記憶する永続的な記憶媒体であるストレージ１０６およびバス１０７から構成される。上述した無線インターフェース１０２ａ、無線インターフェース１０２ｂ、メモリ１０３、制御プロセッサ１０４、ユーザ入出力装置１０５、およびストレージ１０６は、バス１０７を介して相互に接続されている。
【００３６】
無線インターフェース１０２ａおよび無線インターフェース１０２ｂの各々は、受信したＲＦ信号を周波数ダウンコンバートしてデジタル化し、復調し、そして復号化することにより、デジタル情報に変換して後続の情報処理のために提供する。これとは逆に、無線インターフェース１０２ａおよび無線インターフェース１０２ｂの各々は、マルチモード無線端末１０ｍ内で生成されたデジタル情報を、符号化し、変調し、そして周波数アップコンバートすることによりＲＦ信号に変換して無線送信のためにアンテナ１０１に提供する。無線インターフェース１０２ａは、セルラー無線網に対応した無線信号の送受信処理を実行可能に構成され、無線インターフェース１０２ｂは、無線ＬＡＮ網に対応した無線信号の送受信処理を実行可能に構成されている。
【００３７】
メモリ１０３は、無線インターフェース１０２ａおよび無線インターフェース１０２ｂが後述する制御プロセッサ１０４との間でやり取りするデジタル情報や無線端末１０全体を制御するプログラムなどを記憶する。
【００３８】
制御プロセッサ１０４は、メモリ１０３からプログラムを読み出してマルチモード無線端末１０ｍ全体の制御、無線インターフェース１０２ａおよび無線インターフェース１０２ｂを介してアンテナ１０１から送信されるデジタル情報の生成、無線インターフェース１０２ａおよび無線インターフェース１０２ｂを介してアンテナ１０１から受信したデジタル情報の更なる処理などを実行する。
【００３９】
制御プロセッサ１０４は、無線インターフェース１０２ａおよび無線インターフェース１０２ｂのいずれか一方を選択的にイネーブルし、バス１０７を介して当該イネーブルされた無線インターフェースのみを介してデジタル情報をやり取りすることにより、特定の無線アクセス網を選択的に使用して通信することが出来る。
【００４０】
ユーザ入出力装置１０５は、無線端末１０上に設けられた画面表示ディスプレイやキーパッドと制御プロセッサ１０４との間で入出力データのやり取りを行うと同時に、ユーザとマルチモード無線端末１０ｍの間のユーザ・インターフェースの制御を行う。加えて、ユーザ入出力装置１０５は、マルチモード無線端末１０ｍ上に設けられた画面表示ディスプレイやキーパッドのデバイス状態や入出力ステータスが変化した際に、バス１０７を介して当該変化と関係付けられた割り込み処理を制御プロセッサ１０４に対して指示する。このような割り込み制御を可能とするために、ユーザ入出力装置１０５は、自身が管理する画面表示ディスプレイやキーパッドなどの入出力デバイス状態を電気的にモニタリングする機能を備えている。
【００４１】
なお、本実施の形態において使用される無線ＬＡＮ専用端末やセルラー専用端末に相当する他の無線端末１０ｓの装置構成は、図２において、無線インターフェース１０２ａおよび無線インターフェース１０２ｂのいずれか一方しか装備していない点を除けば、マルチモード無線端末１０ｍの装置構成と同様である。
【００４２】
＜４＞本実施の形態に係る第１実施例
第１実施例は、ＣＢＳ機能のようなセルラー無線網に固有のセル内ブロードキャスト機能に基づくメッセージ配信サービスを無線ＬＡＮ専用端末が受けられるようにする仕組みを例示する。このような仕組みを実現するために、第１実施例においては、セルラー無線網の基地局と無線ＬＡＮアクセス・ポイントに同時接続中のマルチモード無線端末を中継局として使用する。
【００４３】
具体的には、まず最初に、上述した中継局として機能するマルチモード無線端末１０ｍ（図２）が、セルラー無線網内におけるセル内ブロードキャスト機能に基づいてセルラー基地局から配信されるメッセージをセルラー無線網用の無線インターフェース回路１０２ａ（図２）を介して受信する。続いて、マルチモード無線端末１０ｍは、当該受信したメッセージを、無線ＬＡＮ用の無線インターフェース回路１０２ｂを介して無線ＬＡＮアクセス・ポイントに中継する。続いて、当該無線ＬＡＮアクセス・ポイントは、当該中継されたメッセージを自局の通信エリア内に在圏している全ての無線端末にブロードキャストする。この時、当該無線ＬＡＮアクセス・ポイントの通信エリア内に在圏している全ての無線端末の中には、無線ＬＡＮ専用端末が含まれていても良い。
【００４４】
セルラー基地局、無線ＬＡＮアクセス・ポイントおよびマルチモード無線端末１０ｍの間での上述した一連の無線信号の流れを図３に示す。また、セルラー基地局、無線ＬＡＮアクセス・ポイントおよびマルチモード無線端末１０ｍの間での信号処理動作の流れを説明するイベント・フロー図を図４に示す。以下、図３および図４を参照しながら、第１実施例における一連の信号処理動作の流れについて説明する。
【００４５】
図３において、セルラー無線網を構成するセルラー・コア網５１からＣＢＳ機能に基づいて配信すべきメッセージを受信したセルラー基地局９０は、当該メッセージを自局がカバーするセル内にブロードキャストし、マルチモード無線端末１０ｍは、当該ブロードキャストされたメッセージを受信する（図４のステップＳ１）。図３において、マルチモード無線端末１０ｍは、セルラー無線網の配下にあるセルラー基地局９０および無線ＬＡＮ網のアクセス・ポイント９１の両者にそれぞれ接続可能な２種類の無線インターフェース回路１０２ａおよび１０２ｂ（図２）を装備している。
【００４６】
続いて、上述した配信メッセージを受信したマルチモード無線端末１０ｍは、無線ＬＡＮに接続可能な無線インターフェース回路である無線ＬＡＮインターフェース１０２ｂ（図２）の電源をオンにする（図４のステップＳ２）。その後、マルチモード無線端末１０ｍが、無線ＬＡＮアクセス・ポイント９１のビーコン信号を検出すると、マルチモード無線端末１０ｍは、当該受信したビーコン信号に対してＰｒｏｂｅ  Ｒｅｓｐｏｎｓｅフレームを返信することによって応答する。これにより、マルチモード無線端末１０ｍと無線ＬＡＮアクセス・ポイント９１との間に、後続する無線トラフィック伝送のための無線伝送チャネルとして、一つのアソシエーションが確立される（図４のステップＳ３）。その際、マルチモード無線端末１０ｍは、上述したＰｒｏｂｅ  Ｒｅｓｐｏｎｓｅフレーム内にセルラー基地局９０からブロードキャスト配信されたメッセージを含めて無線ＬＡＮアクセス・ポイント９１に送信する。なお、マルチモード無線端末１０ｍと無線ＬＡＮアクセス・ポイント９１との間に、既にアソシエーションが確立されている場合であっても、同様に、上述した配信メッセージをＰｒｏｂｅ  Ｒｅｓｐｏｎｓｅフレーム内に含めて無線ＬＡＮアクセス・ポイント９１に送信することが可能である（図４のステップＳ４）。
【００４７】
以上により、マルチモード無線端末１０ｍは、セルラー基地局９０からブロードキャスト配信されたメッセージを無線ＬＡＮアクセス・ポイント９１に中継する中継局としての役割を果たすことが可能である。なお、図３の無線ＬＡＮアクセス・ポイント９１は、マルチモード無線端末１０ｍとの間で良好な信号品質で無線通信が可能な距離にある一つ以上の近隣の無線ＬＡＮアクセス・ポイントである。また、マルチモード無線端末１０ｍが端末機能の一部としてアクセス・ポイント機能やテザリング機能を有している場合には、マルチモード無線端末１０ｍと良好な通信が可能な近隣に位置している他の無線ＬＡＮ専用端末に対して上述した配信メッセージを中継することも可能である。
【００４８】
上述した実施態様においては、マルチモード無線端末１０ｍが、上述したメッセージを無線ＬＡＮアクセス・ポイント９１に中継する際の伝送手段として、上述したＰｒｏｂｅ  Ｒｅｓｐｏｎｓｅフレームを使用していた。しかし、代替的な別の実施態様においては、上述したメッセージを無線ＬＡＮアクセス・ポイント９１に中継するために、３ＧＰＰが標準化を進めているＩＥＥＥ８０２．１１ｋにおいて規定されるメッセージ・フレームを使用することも可能である。具体的には、以下のとおりである。ＩＥＥＥ８０２．１１ｋ標準仕様によれば、一つのネットワークを構成する複数の無線アクセス・ポイントおよび無線端末は、お互いの相対的な位置関係またはアクセス・ポイント毎の電波干渉の状況や周波数帯域の使用状況などを制御フレームの交換によって共有することが可能である。マルチモード無線端末１０ｍは、その際に交換される制御フレーム内にセルラー基地局９０からブロードキャスト配信されたメッセージを含めて送信することが可能である。これにより、マルチモード無線端末１０ｍは、セルラー基地局９０からブロードキャスト配信されたメッセージを無線ＬＡＮアクセス・ポイント９１に中継することができる。また、マルチモード無線端末１０ｍが、セルラー基地局９０からブロードキャスト配信されたメッセージを無線ＬＡＮアクセス・ポイント９１に中継する際には、上記以外の任意のＩＥＥＥ８０２．１１フレームを伝送手段として使用することが可能である。
【００４９】
なお、セルラー基地局９０からブロードキャスト配信されたメッセージが、ＥＴＷＳプライマリ・メッセージのような緊急性の高い報知情報を含むメッセージである場合には、その旨を以下のようにして無線ＬＡＮアクセス・ポイント９１に通知することが可能である。すなわち、中継先の当該メッセージを無線ＬＡＮアクセス・ポイント９１に中継するＩＥＥＥ８０２．１１フレームに含まれるＭＡＣヘッダやＰＬＣＰヘッダ内においてＦｒａｍｅ  Ｃｏｎｔｒｏｌフィールド部分の緊急ビットをオンに設定する。これにより、無線ＬＡＮアクセス・ポイント９１は、マルチモード無線端末１０ｍから中継された緊急性の高いメッセージの受信動作や配信動作を他のトラフィックや制御フレームの送受信動作よりも優先して迅速に実行することが可能となる。
【００５０】
続いて、マルチモード無線端末１０ｍから配信メッセージを中継された無線ＬＡＮアクセス・ポイント９１は、自局がカバーするＢＳＳ内に在圏する全ての無線端末に当該配信メッセージをブロードキャストする（図４のステップＳ６）。この際、無線ＬＡＮアクセス・ポイント９１は、自局がＢＳＳ内に一定周期でブロードキャストするビーコン信号フレーム内に上述した配信メッセージを含めることにより、上述した配信メッセージのブロードキャストを実行することが可能である。具体的には、無線ＬＡＮアクセス・ポイント９１は、上述したビーコン信号フレームのフレーム構造内に上述した配信メッセージを格納するための新たなＩＥ（Information Element）を追加的に定義することによって、上述した配信メッセージをビーコン信号フレーム内に含める。
【００５１】
また、代替的な別の実施態様においては、上述した配信メッセージのブロードキャストを実行するために、無線ＬＡＮアクセス・ポイント９１が、ブロードキャスト・アドレスを宛先とし、上述した配信メッセージを含む新規なブロードキャスト・フレームを生成しても良い。この場合は、無線ＬＡＮアクセス・ポイント９１は、当該生成したブロードキャスト・フレームを、自局がカバーするＢＳＳ内に向けて送信する。
【００５２】
なお、上記配信メッセージが、ＩＥＥＥ８０２．１１フレームに載せられて、無線ＬＡＮアクセス・ポイント９１からブロードキャストされる際に、上記配信メッセージの情報内容は、ＩＥＥＥ８０２．１１が規定するブロードキャスト配信用のフレームに適合した符号化方法により、再度符号化される。さらにこの時、上記配信メッセージの情報内容は、ＩＥＥＥ８０２．１１が規定するブロードキャスト配信用のフレームに適合したフォーマットに変換される（図４のステップＳ５）。
【００５３】
続いて、無線ＬＡＮアクセス・ポイント９１がカバーするＢＳＳ内に在圏する無線端末１０ｓは、ＢＳＳ内に向けてブロードキャストされた上記配信メッセージを受信する。これにより、無線端末１０ｓがセルラー無線網に接続可能な無線インターフェース回路１０２ａ（図２）を装備しない無線ＬＡＮ専用端末であったとしても、セルラー無線網の基地局９０からセル内ブロードキャスト機能により配信されたメッセージを受信することが出来る。
【００５４】
最後に、無線ＬＡＮアクセス・ポイント９１は、上述した配信メッセージを周辺に位置する近隣の無線ＬＡＮアクセス・ポイント（図３に示すアクセス・ポイント９２や９３など）にさらに転送することも可能である（図４のステップＳ８）。この場合、上述した配信メッセージを転送された近隣の無線ＬＡＮアクセス・ポイントは、自局のＢＳＳ内に在圏している全ての無線端末に上述した配信メッセージをブロードキャストする。
【００５５】
無線ＬＡＮアクセス・ポイント９１から近隣の無線ＬＡＮアクセス・ポイントへのこのようなメッセージ転送は、以下のような場合に必要となる。例えば、無線ＬＡＮアクセス・ポイント９１のＢＳＳが、上記配信メッセージの配信先として指定された通信エリアの一部だけしかカバーしていない場合に上述したメッセージ転送が必要となる。また例えば、上述した配信メッセージの配信先が無線ＬＡＮアクセス・ポイント９１によってカバーされるＢＳＳを含むＥＳＳ全体である場合にも上述したメッセージ転送が必要となる。
【００５６】
無線ＬＡＮアクセス・ポイント９１は、上述した配信メッセージを近隣の他の無線ＬＡＮアクセス・ポイントに転送するために、例えば以下の方法を使用することが可能である。
【００５７】
ＷＤＳ（Wireless Distribution System）は、同一のＥＳＳを構成する複数の無線ＬＡＮアクセス・ポイント同士の間を無線ＬＡＮと同様の仕組みの無線伝送路で接続するために、同一ＥＳＳ内の複数の無線ＬＡＮアクセス・ポイント間で伝送フレームを交換する通信手順を規定している。この時に無線ＬＡＮアクセス・ポイント同士の間で交換される伝送フレーム（ＷＤＳフレーム）に、上述した配信メッセージを載せて（図４のステップＳ７）無線ＬＡＮアクセス・ポイント９１から近隣の他の無線ＬＡＮアクセス・ポイントに伝送する（図４のステップＳ８）ことにより、上述したメッセージ転送が可能となる。
【００５８】
また、代替的な別の実施態様においては、３ＧＰＰが標準化したＩＥＥＥ８０２．１１Ｆ標準またはＩＥＥＥ８０２．１１ｓ標準によって規定され、複数の無線ＬＡＮアクセス・ポイント同士の間で交換される制御フレームは、上述した配信メッセージを伝送するフレームとして使用されることが可能である。特に、ＩＥＥＥ８０２．１１Ｆ標準によって規定される制御フレームは、互いに異なるＥＳＳ（サブネットワーク）に属する無線ＬＡＮアクセス・ポイント同士の間において、上述した配信メッセージを載せて伝送されることが可能である。
【００５９】
また、無線ＬＡＮアクセス・ポイント９１が、上記配信メッセージを近隣の他の無線ＬＡＮアクセス・ポイントに転送する場合、上記配信メッセージは、複数の無線ＬＡＮアクセス・ポイント同士の間で複数回にわたって転送される可能性がある。もしもこの際、無線ＬＡＮアクセス・ポイント９１と近隣の複数の無線ＬＡＮアクセス・ポイントとの間での上述した伝送フレームの交換により形成されるネットワーク接続トポロジが巡回構造を有すると仮定する。この場合、当該巡回構造内において、上記配信メッセージが延々とタライ回しにされることにより、無線ＬＡＮ網内に余計な通信負荷がかかったり輻輳状態が生じたりする。このような事態を防止するために、無線ＬＡＮアクセス・ポイント９１は、上記配信メッセージを無線ＬＡＮアクセス・ポイント間で伝送するフレーム内に、ＬｉｆｅＴｉｍｅフィールドを設ける。続いて、無線ＬＡＮアクセス・ポイント９１は、当該フレームが無線ＬＡＮアクセス・ポイント間で中継転送される回数の上限を当該フィールド内に設定する。これにより、無線ＬＡＮアクセス・ポイント９１から近隣の他の無線ＬＡＮアクセス・ポイントに転送された上記配信メッセージが無線ＬＡＮアクセス・ポイント間で中継転送される回数を制限することが可能となる。
【００６０】
なお、上述した第１実施例においては、配信メッセージのアクセス・ポイント間での転送やブロードキャストを行う複数の無線ＬＡＮアクセス・ポイントの各々およびそれらがカバーする各ＢＳＳをＳＳＩＤによって識別することが可能である。
【００６１】
さらに第１実施例の変形例として、無線ＬＡＮサービス・プロバイダが提供するクーポン配信サービスのように無線ＬＡＮ（例えば、無線ＬＡＮアクセス・ポイント９１がカバーするＢＳＳ）内でのみ提供される通信エリア内ブロードキャスト機能に基づくメッセージ配信サービスをセルラー専用端末が受けられるようにする仕組みを実現ことも可能である。このような仕組みを実現する場合も上記と同様に、セルラー無線網の基地局９０と無線ＬＡＮアクセス・ポイント９１に同時接続可能なマルチモード無線端末を中継局として使用して、メッセージ配信元の無線ＬＡＮアクセス・ポイント９１とセルラー基地局９０との間で通信エリア内ブロードキャスト配信メッセージを中継転送することが可能である。
【００６２】
＜５＞本実施の形態に係る第２実施例
ＣＢＳ機能などのセル内ブロードキャスト機能に基づいて災害発生情報などを不特定多数の無線端末に配信するサービスにおいて、災害地図（ハザードマップ）や避難情報等を無線端末の画面に表示するためのリッチ・コンテンツ情報は数百キロバイト以上の比較的サイズの大きな配信情報となると考えられる。しかしながら、ＥＴＷＳなどの災害情報配信サービスでは、ＣＢＳ機能を利用してセル内の無線端末に災害発生情報をブロードキャスト配信されるメッセージは、数１０バイト程度のサイズのデータを配信することしか出来ない。従って、上述したような大容量のリッチ・コンテンツ情報を上述したメッセージに直接含めてセル内の無線端末にブロードキャスト配信することが出来ない。
【００６３】
このような場合、配信先となる通信エリア内でブロードキャスト配信されるメッセージ中に上述したリッチ・コンテンツ情報を格納したＷｅｂサーバやコンテンツ提供サーバなどのＵＲＬやＵＲＩを記載しておくことが、一般的に行われている。しかしこの場合、当該メッセージの配信を受けた無線端末のユーザが当該メッセージに含まれるＵＲＬやＵＲＩに基づいてＷｅｂサーバやコンテンツ提供サーバにアクセスしようとすると、配信先となる通信エリア内の全てのユーザが当該Ｗｅｂサーバやコンテンツ提供サーバに対して一斉にアクセスすることとなる。その結果、セルラー無線網内に輻輳状態が発生したり、メッセージ配信先の通信エリア内に在圏する多数の無線端末からの一斉アクセスが集中したコンテンツ提供元のサーバが過負荷状態となったりする。
【００６４】
そこで、本実施の形態に係る第２実施例は、無線端末に対して、セルラー無線網や無線ＬＡＮに固有の通信エリア内ブロードキャスト機能（ＣＢＳ機能など）に基づいてメッセージをブロードキャスト配信する際、当該メッセージに付帯する関連情報である大容量コンテンツ情報を、効率的に配信する仕組みを例示する。すなわち、第２実施例においては、第１実施例と同様の方法により無線ＬＡＮ通信エリア内の全端末に対してブロードキャスト配信されたメッセージに付帯する大容量コンテンツ情報を、当該全端末にブロードキャスト配信する際に、無線網側へのアクセス負荷や輻輳を防止する仕組みが開示される。当該メッセージに付帯する関連情報である大容量コンテンツ情報は、当該メッセージによる通知情報内容を補足するためのマルチメディア・コンテンツ情報やリッチ・コンテンツ情報であっても良い。上述した仕組みを実現するため、第２実施例においては、上述したメッセージがセルラー無線網からセル内ブロードキャスト機能に基づいて配信されたものであっても、当該メッセージに付帯した大容量コンテンツ情報をインターネットからダウンロードするためにセルラー無線網ではなく無線ＬＡＮを経由する。何故なら、インターネットから大容量コンテンツをダウンロードするために、セルラー無線網ではなく、大容量バルク・データの一括ダウンロードに関してセルラー無線網よりも大きな通信帯域幅と高い通信速度を達成可能な無線ＬＡＮを経由した方が、当該大容量コンテンツを無線端末に配信する際に、無線網内の輻輳を防止できるからである。また、第２実施例では、通信エリア内の全ての無線端末から大容量コンテンツに対して一斉にアクセスを開始することによる無線網へのアクセス集中を防止するために、以下の工夫を行っている。まず、上述したメッセージに付帯する関連情報として大容量コンテンツ情報にアクセスする必要が有るか否かは上述したメッセージを中継するマルチモード無線端末が判断する。その上で、当該マルチモード無線端末から大容量コンテンツ情報にアクセスするよう要求された当該無線ＬＡＮアクセス・ポイントは、通信エリア内に在圏している全ての無線端末の代理として当該大容量コンテンツ情報をインターネットからダウンロードし、さらにそれを通信エリア内の全ての無線端末にブロードキャスト配信する。
【００６５】
具体的には、まず、セルラー無線網の基地局と無線ＬＡＮアクセス・ポイントに同時接続中のマルチモード無線端末を中継局として使用して、メッセージ配信元のセルラー基地局と無線ＬＡＮアクセス・ポイントとの間でセル内ブロードキャスト配信メッセージを中継転送する。その際、当該メッセージ中に上述した大容量コンテンツ情報の提供元へのリンクを示すＵＲＬやＵＲＩが含まれているならば、当該メッセージを中継する当該マルチモード無線端末は、当該ＵＲＬやＵＲＩを介して当該大容量コンテンツをダウンロードするように上述した無線ＬＡＮアクセス・ポイントに要求する。当該マルチモード無線端末から当該要求を受けた無線ＬＡＮアクセス・ポイントは、当該大容量コンテンツを自局内のキャッシュ・メモリ内にダウンロードして一時保存すると共に、当該大容量コンテンツをマルチモード無線端末１０ｍに転送する。最後に、当該無線ＬＡＮアクセス・ポイントは、当該一時保存した大容量コンテンツ情報を自局の通信エリア内に在圏している全無線端末にブロードキャスト配信する。
【００６６】
なお、上述した配信メッセージが、セルラー無線網内のＣＢＳ機能に基づいて、ＥＴＷＳなどの災害情報配信システムによってブロードキャスト配信されるメッセージである場合、上述した大容量コンテンツ情報は、上述した配信メッセージと関連した災害地図や避難情報を無線端末の画面に表示するためのマルチメディア・コンテンツなどとすることが可能である。
【００６７】
以下、第２実施例における信号処理動作の流れを詳細に説明する前提として、図５に示すネットワーク接続について説明する。図５は、上述した大容量コンテンツを、インターネット上のコンテンツ提供元サーバ２０から、セルラー無線網および無線ＬＡＮ網を含む複数の異なる種類の無線アクセス網を経由して無線端末に配信する際のネットワーク接続である。
【００６８】
図５のネットワーク接続構成は、無線端末１０、２つの無線アクセス網４０Ａおよび４０Ｂ、無線アクセス網４０Ａおよび４０Ｂとコア網ゲートウェイ６１および６２を介して接続された２つのコア網（CN: Core Network）５１／５２、コア網５１／５２と外部接続ゲートウェイ７１／７２を介して接続されたインターネット網８０およびインターネット網８０に接続されたサーバ２０から構成される。サーバ２０は、上述した大容量コンテンツを不特定多数の無線端末に対して提供するコンテンツ提供元サーバであり、Ｗｅｂサーバとして実装されていても良い。
【００６９】
無線アクセス網４０Ａおよび４０Ｂは、無線通信を介したコア網への無線アクセス経路を無線端末１０に対して提供するネットワークである。無線アクセス網４０Ａは、第３世代セルラー無線網であるＵＭＴＳ網や第４世代セルラー無線網であるＬＴＥ網とすることが可能であり、無線アクセス網４０Ｂは、IEEE802.11a標準やIEEE802.11g標準に基づくＷｉ−Ｆｉのような無線ＬＡＮアクセス網である。
【００７０】
コア網５１および５２は、無線通信サービス提供事業者内において多数のルータ機器やネットワーク制御用サーバ機器を高速回線で接続することによって形成され、無線端末のインターネットへの接続（Ｅ−ＵＴＲＡＮのコア網においてはＰ−ＧＷ（PDN-Gateway）の機能に相当する）、無線端末の端末モビリティ管理（Ｅ−ＵＴＲＡＮのコア網においてはＭＭＥの機能に相当する）または無線端末の通信サービス認証（Ｅ−ＵＴＲＡＮのコア網においてはＨＳＳの機能に相当する）などの機能を実行する。コア網５１は、セルラー無線網を形成するコア網であり、無線アクセス網４０Ａおよびコア網ゲートウェイ６１を介して無線端末１０から無線アクセスが可能である。他方、コア網５２は、無線アクセス網４０Ｂおよびコア網ゲートウェイ６２を介して無線端末１０から無線アクセスが可能である。なお、コア網５２は、ＴＣＰ／ＩＰプロトコルに基づく通信をサポートするモバイルＩＰ網とすることが可能である。
【００７１】
外部接続ゲートウェイ７１／７２は、コア網５１／５２をインターネット網８０にそれぞれ接続し、これにより、コア網５１／５２は、インターネット網８０との間でトラフィックを通信することが可能となる。コア網５１がＥ−ＵＴＲＡＮ標準に基づいて構成されている場合には、外部接続ゲートウェイ７１は、Ｐ−ＧＷ（PDN-Gateway）とすることが可能である。コア網５２は、Ｍｏｂｉｌｅ  ＩＰに基づいて無線ＬＡＮのためのＩＰプロトコル・ベースのコア網として機能するモバイル網とすることが可能である。
【００７２】
図５において、無線ベアラ３０Ａは、無線端末１０をセルラー無線網である無線アクセス網４０Ａに接続する無線接続手段である。同様に、無線ベアラ３０Ｂは、無線端末１０をＷｉ−Ｆｉ網である無線アクセス網４０Ｃに接続する無線接続手段である。
【００７３】
図５において、無線端末１０は、無線ベアラ３０Ａまたは３０Ｂのいずれか一方を選択的に使用して、無線アクセス網４０Ａまたは４０Ｂのいずれか一方と無線接続する。続いて、無線端末１０は、無線アクセス網、コア網５１／５２およびインターネット網８０を経由してサーバ２０との間でＴＣＰ／ＩＰに基づくエンド・ツー・エンド通信を行う。
【００７４】
次に、第２実施例において、セルラー基地局、無線ＬＡＮアクセス・ポイントおよびマルチモード無線端末１０ｍの間で実行される上述した一連の無線信号の流れを図６に示す。また、セルラー基地局、無線ＬＡＮアクセス・ポイントおよびマルチモード無線端末１０ｍの間における信号処理動作の流れを説明するイベント・フロー図を図７に示す。以下、図６および図７を参照しながら、第２実施例における一連の信号処理動作の流れについて説明する。なお、図６に示すセルラー・コア５１網は、図５に示す無線アクセス網４０Ａとコア網５１を一体的に表すものである。同様に、図６に示すＩＳＰ網／モバイル網５２は、図５に示す無線アクセス網４０Ｂとモバイル網５２を一体的に表すものである。
【００７５】
図６において、セルラー無線網を構成するセルラー・コア網５１からＣＢＳ機能に基づいて配信すべきメッセージを受信したセルラー基地局９０は、当該メッセージを自局がカバーするセル内にブロードキャストし、マルチモード無線端末１０ｍは、当該ブロードキャストされたメッセージを受信する（図７のステップＳ１）。図６において、マルチモード無線端末１０ｍは、セルラー無線網の配下にある基地局９０および無線ＬＡＮ網のアクセス・ポイント９１の両者にそれぞれ接続可能な２種類の無線インターフェース回路１０２ａおよび１０２ｂ（図２）を装備している。
【００７６】
続いて、上述した配信メッセージを受信したマルチモード無線端末１０ｍは、当該メッセージ中に上述した大容量コンテンツ情報の提供元へのリンクを示すＵＲＬやＵＲＩが含まれているか否かを判断する（図７のステップＳ２）。この場合、上述した提供元リンクが上述した配信メッセージと共に配信先となる通信エリア内の全ての無線端末に配信すべき大容量コンテンツを指していることを表すために、上述したＵＲＬやＵＲＩの先頭部分には文字列「mediato://」がプロトコル識別子として記述されている。また、上記と同様の目的のために、上述したＵＲＬやＵＲＩの先頭部分に、本実施の形態において新たに定義された本発明独自のプロトコル識別子「wlanto://」を記述することも可能である。上述した提供元リンクが上述した配信メッセージ中に含まれているならば、上述した配信メッセージを受信したマルチモード無線端末１０ｍは、無線ＬＡＮに接続可能な無線インターフェース回路である無線ＬＡＮインターフェース１０２ｂ（図２）の電源をオンにする（図７のステップＳ３）。その後、マルチモード無線端末１０ｍが、無線ＬＡＮアクセス・ポイント９１のビーコン信号を検出すると、マルチモード無線端末１０ｍは、当該受信したビーコン信号に対してＰｒｏｂｅ  Ｒｅｓｐｏｎｓｅフレームを返信することによって応答する。これにより、マルチモード無線端末１０ｍと無線ＬＡＮアクセス・ポイント９１との間に後続する無線トラフィック伝送のためのアソシエーションが確立される（図７のステップＳ４）。続いて、マルチモード無線端末１０ｍは、上述した大容量コンテンツ情報をダウンロードするための専用アプリケーションを起動する。
【００７７】
マルチモード無線端末１０ｍ上で起動された上記専用アプリケーションは、当該ＵＲＬやＵＲＩを介して当該大容量コンテンツをダウンロードするように上述した無線ＬＡＮアクセス・ポイント９１に要求する（図７のステップＳ５）。マルチモード無線端末１０ｍから当該要求を受けた無線ＬＡＮアクセス・ポイント９１は、ＩＳＰ網／モバイル網５２（図６）を介してインターネット８０内のコンテンツ提供元サーバ２０（図６）に接続する（図７のステップＳ６）。続いて、無線ＬＡＮアクセス・ポイント９１は、コンテンツ提供元サーバ２０から当該大容量コンテンツをダウンロードして（図７のステップＳ６）、無線ＬＡＮアクセス・ポイント９１内のキャッシュ・メモリに一時保存する（図７のステップＳ７）と共に、当該大容量コンテンツをマルチモード無線端末１０ｍに転送する。最後に、当該無線ＬＡＮアクセス・ポイント９１は、自局内のキャッシュ・メモリに一時保存しておいた当該大容量コンテンツ情報を自局の通信エリア内に在圏している無線端末１０ｓにブロードキャスト配信する（図７のステップＳ８）。
【００７８】
この時、図５および図６に示すとおりインターネット８０内のコンテンツ提供元サーバ２０から当該大容量コンテンツ情報をダウンロードするためのネットワーク接続経路として、セルラー基地局９０、セルラー・コア網５１およびインターネット８０を経由する経路も存在する。しかしながら、セルラー基地局９０およびセルラー・コア網５１によって構成されるセルラー無線網は、無線ＬＡＮ網とは異なり、大容量コンテンツ情報のダウンロードのようなバルク・データ伝送のために、一時に多くの通信帯域を割り当てる、または一時的に非常に高い通信スループットを達成することが困難である。従って、第２実施例においては、マルチモード無線端末１０ｍからセルラー無線網を経由してコンテンツ提供元サーバ２０上の当該大容量コンテンツをダウンロードすることを、セルラー基地局９０が禁止する構成としている。
【００７９】
上述した大容量コンテンツ情報の配信動作と並行して、第１実施例で説明したのと同様の方法で、マルチモード無線端末１０ｍは、セルラー基地局９０からの上述した配信メッセージを無線ＬＡＮアクセス・ポイント９１に中継する。続いて、無線ＬＡＮアクセス・ポイント９１は、当該中継された配信メッセージを自局の通信エリア内にブロードキャスト配信する。なお、図３の無線ＬＡＮアクセス・ポイント９１は、マルチモード無線端末１０ｍとの間で良好な信号品質で無線通信が可能な距離にある一つ以上の近隣の無線ＬＡＮアクセス・ポイントである。
【００８０】
＜６＞本実施の形態の効果
以上のように図３を使用して説明した第１実施例は、一時的にセルラー無線網への接続が不可能となったマルチモード無線端末やセルラー無線網への接続手段を持たない無線端末１０ｓが、セルラー無線網の基地局９０のみで提供されているセル内ブロードキャスト機能（ＣＢＳ機能など）に基づく情報配信サービスを受けられるようにすることができる。同様に、第１実施例は、無線ＬＡＮインターフェース回路を有しないセルラー無線端末が、無線ＬＡＮ網内のアクセス・ポイント９１でのみ提供されているブロードキャスト配信サービスを受けられるようにすることができる。加えて、セルラー基地局９０、無線ＬＡＮアクセス・ポイント９１およびこれらの間で配信メッセージを中継するマルチモード無線端末１０ｍのそれぞれにおいて実行される情報信号の送受信は、全てデータリンク層レベル（Ｌ２レベル）で実行される。従って、第１実施例は、最小限のプロトコル・オーバーヘッドによりメッセージを配信先となる通信エリア内の全ての無線端末に迅速に配信することが可能である。また、図５を使用して説明した第２実施例は、メッセージ情報の配信先領域内に在圏している全ての無線端末１０ｓに対してブロードキャスト配信機能に基づいて大容量コンテンツ情報へのアクセスを実行させる際、無線網やコンテンツ提供元サーバ２０への多数の無線端末１０ｓからのアクセス集中や通信優先順位の競合が発生しないようにすることができる。
【産業上の利用可能性】
【００８１】
本発明は、無線通信網の通信エリア内に在圏している不特定多数の無線端末に対して災害発生情報などの配信情報を一斉にブロードキャスト配信するためのシステムを構成する制御プログラムおよび装置として利用することが可能である。
【符号の説明】
【００８２】
１０ｍ  マルチモード無線端末
１０ｓ  無線端末
２０  無線端末にネットワーク・サービスを提供するサーバ
３０  無線ベアラ
４０  無線アクセス網
５１  コア網
５２  コア網
６１  コア網ゲートウェイ
６２  コア網ゲートウェイ
７１  外部接続ゲートウェイ
７２  外部接続ゲートウェイ
８０  インターネット網
９０  セルラー基地局
９１  無線ＬＡＮアクセス・ポイント
１０１  アンテナ
１０２  無線インターフェース
１０３  メモリ
１０４  制御プロセッサ
１０５  ユーザ入出力装置
１０６  ストレージ
１０７  バス
【図１】
2018102015.tif 000003
【図２】
2018102015.tif 000004
【図３】
2018102015.tif 000005
【図４】
2018102015.tif 000006
【図５】
2018102015.tif 000007
【図６】
2018102015.tif 000008
【図７】
2018102015.tif 000009